(57)【要約】【課題】電源の停電時でも配電盤の巡回点検に対応した照明環境を自動的に確保できるよう改良した盤内照明装置を提供する。【解決手段】前面扉付き盤筐体１の内部に配置して保守点検時に照明灯を点灯させる配電盤の盤内照明装置を、照明灯（ＬＥＤ）５と、平時には配電盤の制御電源から給電を受けて充電する非常用蓄電池９と、盤筐体１への人の接近を検知して照明灯５の電源回路に接続したメイク接点１０ａＯＮに切換える人感センサースイッチ１０と、前記制御電源８の停電を検知して照明灯５の電源を非常用蓄電池９に切換える停電検出リレー１１とを組み合わせて盤筐体内の天井側前部に配置した上で、前記人感センサースイッチ１０の検知部に対向して盤筐体の前面扉２に小窓２ｂを開口する。【選択図】図１
2016093028.tif 000002
【特許請求の範囲】
【請求項１】
前面扉付き盤筐体の天井側前部に配置して保守点検時に盤内を照明する配電盤の盤内照明装置であって、
照明灯と、平時には配電盤の制御電源から給電を受けて充電する非常用蓄電池と、盤筐体への人の接近を検知して前記照明灯の電源回路に接続したメイク接点をＯＮに切換える人感センサースイッチと、前記制御電源の停電を検知して照明灯の電源を非常用蓄電池に切換える停電検出リレーとを組み合わせて盤筐体内の天井側前部に配置した上で、前記人感センサースイッチの検知部に対向して盤筐体の前面扉に小窓を開口したことを特徴とする配電盤の盤内照明装置。
【請求項２】
請求項１に記載の盤内照明装置において、照明灯，非常用蓄電池，人感センサースイッチ，および停電検出リレーの各部品を一体に組み合わせてユニット化し、このユニットを盤内の天井側前部に取り付けて配置したことを特徴とする配電盤の盤内照明装置。
【請求項３】
請求項１または２に記載の盤内照明装置において、照明灯がＬＥＤであることを特徴とする配電盤の盤内照明装置。
【請求項４】
請求項１ないし３のいずれかの項に記載の盤内照明装置において、蓄電池の健全性を確認するバッテリーチェッカーを付設したことを特徴とする配電盤の盤内照明装置。
【発明の詳細な説明】
【技術分野】
【０００１】
本発明は、高圧受電盤，制御盤などの配電盤に搭載して保守点検時に盤内を照明する配電盤の盤内照明装置に関する。
【背景技術】
【０００２】
まず、頭記配電盤に搭載した盤内照明装置の従来における一般的な構成を図４（ａ）〜（ｃ）に示す。図において、１は配電盤（キュービクル式配電盤）の盤筐体、２は盤筐体１の前面扉、２ａは扉の開閉用把手、３は扉ヒンジ、４は盤筐体１の内部に収納した回路遮断器，制御機器などの収納機器であり、盤筐体１の天井側前部には図示のように照明灯（例えば、蛍光灯）５に扉スイッチ（扉の開閉に応動して電源をＯＮ，ＯＦＦするリミットスイッチ）６を組み合わせた盤内照明装置７が配備されている。
【０００３】
また、この盤内照明装置７は図４（ｂ）の電源回路で表すように、照明灯５が扉スイッチ６を介して盤内に構成した制御電源（図示例は交流電源）８に接続されており、前面扉２が閉じている状態では、扉スイッチ６のアクチュエータが前面扉２に押されて接点がＯＦＦし、照明灯５は消灯している。この状態から配電盤の保守点検作業を行うために保守員が配電盤の前面扉２を開くと、扉スイッチ６の接点がＯＮに切り換わって照明灯５が制御電源８からの給電により点灯し、盤内の点検作業空間を明るく照らす。なお、前面扉２と扉スイッチ６の相対位置関係を図４（ｃ）に示す。
【０００４】
なお、前記の制御電源８は、主幹回路遮断器の操作器、盤監視装置の電源、および盤内照明灯５の電源として配電盤の系統電源（商用電源）から分岐構成したもので、その給電側の機器の種類に合わせて系統電源から変圧器を介して降圧した交流電源、もしくは交流電源を直流に変換した直流電源が選択的に採用される。
【０００５】
ところで、前記制御電源８は、配電盤の系統電源の停電時は勿論のこと、下流側回路に生じた短絡事故などで主幹回路遮断器がトリップすると、盤内の制御電源もダウンすることになる。そのために、先記した従来の盤内照明装置では、不測の停電事故で盤内の制御電源８が使えなくなった状態で保守員が配電盤の巡視点検を行う際には、ハンドライト、もしくはエンジン付きの小形発電機と投光機を用意して盤内の保守点検作業を行う必要があり、その準備作業に手間と時間が掛かる問題がある。
【０００６】
そこで、不測な電源の停電にも盤内の照明環境の冗長性を確保するために、盤内に非常用蓄電池、および制御電源の停電検出リレーを装備して平時は前記蓄電池を制御電源で充電しておき、電源の停電発生時には停電検出リレーが盤内照明灯の電源を制御電源から蓄電池に切換えた上で、盤筐体の扉スイッチと連係して保守点検時に盤内の照明灯を点灯させるようにした配電盤の盤内照明システムが知られている（例えば、特許文献１参照）。
【０００７】
また、前記特許文献１とは別に、配電盤筐体の天井側前部に非接触式人感センサーと組み合わせた照明器具を配置し、配電盤に人（保守員）が接近して前面扉を開いた際に、人感センサーが人を検知して照明器具を自動的に点灯させるようにしたスイッチギヤ（配電盤）も知られている（例えば、特許文献２参照）。
【先行技術文献】
【特許文献】
【０００８】
【特許文献１】特開２０１４−５４０３２号公報
【特許文献２】特開２００８−２３０７９８号公報
【発明の概要】
【発明が解決しようとする課題】
【０００９】
ところで、前記の特許文献１，特許文献２に開示されている照明システムを配電盤の盤内照明装置に適用することにより照明環境の冗長性，利便性の向上が期待されるものの、その機能，運用面で更なる改善が望まれる。
【００１０】
すなわち、夜間の時間帯に電源の停電が発生した場合には、変電設備の電気室内も暗闇となって電気室内に配置した配電盤の位置を視認しにくくなるため、巡視保守員の携帯するハンドライトだけでは、配電盤への接近，アクセスから盤扉の開け，閉めに至る準備作業をサポートする十分な照明環境の確保が困難となる。
【００１１】
本発明は上記の点に鑑みなされたものであり、その目的は前記した電源の停電時における照明環境の課題を解消して配電盤の巡回点検に対応した照明環境を自動的に確保できるよう改良し、加えて既設の配電盤にも大掛かりな変更工事を要さずに盤内に後付けて実施適用できるように構成した盤内照明装置を提供することにある。
【課題を解決するための手段】
【００１２】
上記目的を達成するために、本発明によれば、前面扉付き盤筐体の内部に配置して保守点検時に照明灯を点灯させる配電盤の盤内照明装置を、照明灯と、平時には配電盤の制御電源から給電を受けて充電する非常用蓄電池と、盤筐体への人の接近を検知して前記照明灯の電源回路に接続したメイク接点をＯＮに切換える人感センサースイッチと、前記制御電源の停電を検知して照明灯の電源を非常用蓄電池に切換える停電検出リレーとを組み合わせて盤筐体内の天井側前部に配置した上で、前記人感センサースイッチの検知部に対向して盤筐体の前面扉に小窓を開口する（請求額１）。
【００１３】
また、本発明の実施態様として、前記盤内照明装置を具体的に次記のように構成することができる。
（１）前記照明灯，非常用蓄電池，人感センサースイッチ，および停電検出リレーの各部品を一体に組み合わせてユニット化し、このユニットを盤内の天井側前部に取り付けて配置する（請求額２）。
（２）前記照明灯にＬＥＤを採用する（請求額３）。
（３）盤内照明装置に非常用蓄電池の健全性を確認するバッテリーチェッカーを付設する（請求額４）。
【発明の効果】
【００１４】
上記構成になる盤内照明装置によれば、次記の効果を奏することができる。
（１）配電盤の電源に不測な停電が発生した時でも、非常用蓄電池が照明灯の電源をバックアップして盤内の照明環境を確保することができるので、停電中でも盤内の巡視点検作業が支障なく行える。
（２）盤内照明装置に人感センサースイッチを組み合わせて人（保守員）が配電盤に接近した際に盤内の照明灯を自動的に点灯するようにしたことで、非常用蓄電池の不必要な放電を抑制して節電化が図れるとともに、従来の配電盤に採用していた機械式の扉スイッチも省略できる。
（３）前記構成に加え、人感センサースイッチの検知部に対向して盤筐体の前面扉に小窓を開口しておくことにより、周囲が暗闇の中で巡回保守員が配電盤に近づいた際に、保守員を人感センサーが検知して点灯した照明灯の明かりが前記小窓を通じて配電盤の外方に漏れ出るようになる。したがって、夜間時の停電発生で配電盤の周囲が暗闇の状態であっても、巡回保守員は前記照明灯の明かりを頼りに配電盤の位置を正しく確認してアクセスし、盤筐体の前面扉を開くことができる。
（４）また、照明灯として省電力のＬＥＤを用いることで、非常用蓄電池の消費電力を節減できる。
（５）さらに、長期の間に蓄電池の充放電を繰り返すと電池能力が次第に劣化するが、この非常用蓄電池に対応するバッテリーチェッカーを前記ユニットに付設しておくことで、平時の保守点検時に非常用蓄電池の健全性を確認することができる。
（６）そして、前記盤内照明装置を構成する各部品を一体に組み合わせてユニット化することで、既設の配電盤に対しても大掛かりな変更工事を要さずに簡単に後付けして照明環境，および巡回点検時の利便性向上を図ることができる。
【図面の簡単な説明】
【００１５】
【図１】本発明の実施例の盤内照明装置を搭載した配電盤の扉開放状態を表す斜視正面図である。
【図２】図１の平面図である。
【図３】図１における盤内照明装置の電源回路図である。
【図４】配電盤に搭載した従来の盤内照明装置の構成図であって、（ａ）は盤扉の開放状態を表す配電盤の斜視正面図、（ｂ）は照明灯の電源回路図、（ｃ）は（ａ）における正面扉と扉スイッチとの相対位置関係を表す図である。
【発明を実施するための形態】
【００１６】
以下、本発明の実施の形態を図１〜図３に示す実施例に基づいて説明する。なお、実施例の図中で図４に対応する部材には同じ符号を付してその説明は省略する。
【００１７】
図１，図２において、盤筐体１の天井側前部には次記のようにユニット化した組立構造になる盤内照明装置７が配置されている。
【００１８】
この盤内照明装置７は、省電力のＬＥＤを採用した照明灯５と、バックアップ電源としての非常用蓄電池（例えば、リチウムイオン二次電池）９と、非接触式の人感センサースイッチ（例えば、焦電型赤外線センサースイッチ）１０と、電源の停電発生を検知する停電検出リレー（交流，または直流の不足電圧検出リレー）１１と、前記非常用蓄電池９の健全性を確認するバッテリーチェッカー１２を一体に組み合わせてユニットケースに収納した組立体になる。また、前記人感センサースイッチ１０の検知部１０ｂに対向して、盤筐体１の前面扉２には小窓２ｂが開口されている。
【００１９】
次に、前記盤内照明装置７の電源回路を図３に示す。ここで、図中に表した制御電源８は、配電盤の系統電源（高圧ＡＣ）に変圧器、交流を直流に変換するＡＣ／ＤＣレギュレータを介して構成した直流電源であり、図中のＰ，Ｎラインを前記制御電源（直流電源）に接続して平時は制御電源８から盤内照明装置７に給電するようにしている。
【００２０】
ここで、照明灯（ＬＥＤ）５は人感センサースイッチ１０のメイク接点１０ａを介して制御電源８と非常用蓄電池９との間を接続するように配線している。また、停電検出リレー１１はその出力接点としてメイク接点１１ａとブレーク接点１１ｂを有し、非常用蓄電池９は前記ブレーク接点１１ｂを介してＰ，Ｎライン間に接続し、非常用蓄電池９と照明灯５との間の回路には人感センサースイッチ１０のメイク接点１０ａ、および停電検出リレー１１のメイク接点１１ａが接続されている。
【００２１】
また、バッテリーチェッカー１２は、チェック表示ランプ１２ａと、警報器（ブザー）１２ｂと、チェックスイッチ１２ｃからなり、図示のようにチェックスイッチ１２ｃを介して非常用蓄電池９に並列接続されている。
【００２２】
次に、前記構成になる盤内照明装置７の機能，動作について説明する。まず、配電盤の系統電源，制御電源８が停電してない平時の給電状態で、かつ配電盤の近くに人（保守員）が居ない状況では、照明灯５の電源回路における各種接点は図３の状態（人感センサースイッチ１０のメイク接点１０ａ，および停電検出リレー１１のメイク接点１１ａがＯＦＦ、ブレーク接点１１ｂがＯＮ）に待機して照明灯５は消灯している一方で、非常用蓄電池９は制御電源８からの給電を受けて浮動充電されている。
【００２３】
この状態から、保守点検作業を行う保守員が配電盤の盤筐体１の前方位置に近づくと、人感センサースイッチ１０が人の接近を検知し、そのメイク接点１０ａをＯＮに切り換えて盤内の照明灯５を自動的に点灯させる。したがって、保守員が前面扉２を解錠して扉を開くことにより、盤内の収納機器４の保守点検作業を明るい照明環境の下で行える。
【００２４】
一方、配電盤に停電が発生して制御電源８がダウンした状態になると、この停電発生を停電検出リレー１１が検知して出力接点のメイク接点１１ａがＯＮ、ブレーク接点１１ｂがＯＦＦとなって照明灯５の電源を制御電源８から充電状態にある非常用蓄電池９に切り換える。
【００２５】
そして、この状態から巡回保守員が配電盤に近づくと、先記した平時の場合と同様に人感センサースイッチ１０が人の接近を検知し、そのメイク接点１０ａがＯＮに切り換わって照明灯５が自動的に点灯する。
【００２６】
また、この場合には、配電盤の前面扉２がまだ閉じていても盤内側で点灯した照明灯５の明かりが前面扉２に開口した小窓２ｂを通して盤外前方に漏れ出るようになるので、夜間時に発生した停電事故のように周囲が暗闇状態であっても、巡回保守員は配電盤の位置を正しく確認した上で配電盤の前面扉２を解錠して開くことができるので、夜間の停電時に行う巡回点検の作業性が向上する。
【００２７】
さらに、平時に行う配電盤の定期点検時に保守員がバッテリーチェッカー１２のチェックスイッチ１２ｃを投入操作することで、そのチェック表示ランプ１２ａ，警報器１２ｂの動作状態から非常用蓄電池９の健全性，ないし劣化の状態を簡単に確認できる。
【００２８】
なお、人感センサースイッチ１０については、焦電型赤外線センサー方式のほかに、赤外線に超音波を組み合わせた各種方式のものが知られているが，いずれの方式の人感センサースイッチでも適用可能である。また、そのセンサースイッチ電源には予めスイッチに内蔵した乾電池、あるいは図３の非常用蓄電池９を使用することができる。
【００２９】
また、照明灯５およびその電源回路の仕組みを適宜に変更することで、配電盤の制御電源８が交流電源である場合にも実施適用が可能である。
【符号の説明】
【００３０】
１    配電盤の盤筐体
２    前面扉
２ｂ  小窓
４    配電盤の収納機器
５    照明灯
７    盤内照明装置
８    配電盤の制御電源
９    非常用蓄電池
１０    人感センサースイッチ
１１    停電検出リレー
１２    バッテリーチェッカー
【図１】
2016093028.tif 000003
【図２】
2016093028.tif 000004
【図３】
2016093028.tif 000005
【図４】
2016093028.tif 000006